(57)【要約】【課題】  既設橋梁と新設桁との間の縦目地部の耐久性の向上を図りながら、既設橋梁の拡幅が可能な橋梁の拡幅接続構造および接続方法を提供すること。【解決手段】  既設橋梁３３に横孔３６が設けられ、前記横孔３６に中空ＰＣ鋼棒を備えたプレストレス力導入装置が配置されると共にグラウト１７が注入・硬化され、前記中空ＰＣ鋼棒６が既設橋梁３３側に埋め込まれた状態で緊張定着され、既設橋梁３３の拡幅側に新設桁３４が配置され、その新設桁３４の横孔３７にシングルストランド鋼材２等のＰＣ鋼材が配置され、前記中空ＰＣ鋼棒６における拡幅側端部にシングルストランド鋼材２等のＰＣ鋼材が接続され、かつ前記シングルストランド鋼材２等のＰＣ鋼材が緊張定着され、新設桁３４の横孔３７にグラウト１７が注入・硬化され、既設橋梁３３と新設桁３４とが一体化されている。【選択図】図６
2007063796.tif 000002
【特許請求の範囲】
【請求項１】
既設橋梁に横孔が設けられ、前記横孔に中空ＰＣ鋼棒を備えたプレストレス力導入装置が配置されると共にグラウトが注入・硬化され、前記中空ＰＣ鋼棒が既設橋梁側に埋め込まれた状態で緊張定着され、既設橋梁の拡幅側に新設桁が配置され、その新設桁の横孔にＰＣ鋼材が配置され、前記中空ＰＣ鋼棒における拡幅側端部に前記ＰＣ鋼材が接続され、かつ前記ＰＣ鋼材が緊張定着され、新設桁の横孔にグラウトが注入・硬化されて、既設橋梁と新設桁とが一体化されていることを特徴とする橋梁の拡幅接続構造。
【請求項２】
中空ＰＣ鋼棒端部のねじ部に、ＰＣ鋼材としてのシングルストランド鋼材側に設けた接続金物が接続されていることを特徴とする請求項1記載の橋梁の拡幅接続構造。
【請求項３】
拡幅目地部を含め既設橋梁から拡幅するために配置した新設桁までプレストレスが導入されて、一体化されていることを特徴とする請求項１記載の橋梁の拡幅接続構造。
【請求項４】
既設橋梁に横孔を削孔し、前記横孔に中空ＰＣ鋼棒を備えたプレストレス力導入装置を配置すると共にグラウトを注入し硬化した後に、前記中空ＰＣ鋼棒が緊張定着されて既設橋梁にプレストレスを導入し、既設橋梁の拡幅側に新設桁を配置すると共にＰＣ鋼材を新設桁の横孔に挿入し、前記中空ＰＣ鋼棒の拡幅側端部に前記ＰＣ鋼材を接続し、前記ＰＣ鋼材を緊張した後グラウトを注入し、既設橋梁と新設桁とを一体化させることを特徴とする橋梁の拡幅接続方法。
【請求項５】
中空ＰＣ鋼棒端部のねじ部を利用して、前記ＰＣ鋼材としてのシングルストランド鋼材を接続することを特徴とする請求項４記載の橋梁の拡幅接続方法。
【発明の詳細な説明】
【技術分野】
【０００１】
本発明は、橋梁の拡幅接続構造および接続方法に関するものである。
【背景技術】
【０００２】
従来、交通量の増大に伴い車線を増すために拡幅する際には、既設橋梁における地覆や車両防護柵等を取り除いた後、新設桁を架設して拡幅する方法が知られている（例えば、特許特許文献１、２）。
【０００３】
（１）既設橋梁の上床版が、張り出しフランジのような張り出し形式の場合には、これを拡幅する場合には、張り出し端部に自動車などの輪重が作用する構造形式になり、その接合が困難なため、既設橋梁に隣接して新設桁を分離構造として架設し、既設橋梁とは、橋軸方向の縦目地を設けた分離構造形式を主としていた。
【０００４】
また、（２）分離構造とする場合に、新設桁側で前記張り出しフランジを支持する構造形式とすることが考えられるが、この場合には、縦目地部に段差部が生じるため、道路の走行性が低下するとい問題があると共に、段差部の振動により道路の耐久性上の問題が生じるという欠点がある。
【０００５】
前記（１）のように、既設橋梁と新設桁の接合において、橋軸直角方向についてＲＣ構造の連続構造とすることの施工が困難であるため、分離構造とする場合が多い。そして前記（２）のように分離構造とすると、既設橋梁と新設桁とを接続する場合に、これらの間に縦目地を設けるになり、縦目地部の耐久性および走行性が問題となってくる。
【特許文献１】特開２００５−１０５６５２号公報
【特許文献２】特開２００５−１２７０６６号公報
【発明の開示】
【発明が解決しようとする課題】
【０００６】
本発明は、既設橋梁と新設桁との間の縦目地部の耐久性の向上を図りながら、既設橋梁の拡幅が可能な橋梁の拡幅接続構造および接続方法を提供することを目的とする。
【課題を解決するための手段】
【０００７】
前記の課題を有利に解決するために、第１発明の橋梁の拡幅接続構造においては、既設橋梁に横孔が設けられ、前記横孔に中空ＰＣ鋼棒を備えたプレストレス力導入装置が配置されると共にグラウトが注入・硬化され、前記中空ＰＣ鋼棒が既設橋梁側に埋め込まれた状態で緊張定着され、既設橋梁の拡幅側に新設桁が配置され、その新設桁の横孔にＰＣ鋼材が配置され、前記中空ＰＣ鋼棒における拡幅側端部に前記ＰＣ鋼材が接続され、かつ前記ＰＣ鋼材が緊張定着され、新設桁の横孔にグラウトが注入・硬化されて、既設橋梁と新設桁とが一体化されていることを特徴とする。
【０００８】
また、第２発明では、第１発明の橋梁の拡幅接続構造において、中空ＰＣ鋼棒端部のねじ部に、ＰＣ鋼材としてのシングルストランド鋼材側に設けた接続金物が接続されていることを特徴とする。
【０００９】
また、第３発明では、第１発明の橋梁の拡幅接続構造において、拡幅目地部を含め既設橋梁から拡幅するために配置した新設桁までプレストレスが導入されて、一体化されていることを特徴とする。
【００１０】
また、第４発明の橋梁の拡幅接続方法においては、既設橋梁に横孔を削孔し、前記横孔に中空ＰＣ鋼棒を備えたプレストレス力導入装置を配置すると共にグラウトを注入し硬化した後に、前記中空ＰＣ鋼棒が緊張定着されて既設橋梁にプレストレスを導入し、既設橋梁の拡幅側に新設桁を配置すると共にＰＣ鋼材を新設桁の横孔に挿入し、前記中空ＰＣ鋼棒の拡幅側端部に前記ＰＣ鋼材を接続し、前記ＰＣ鋼材を緊張した後グラウトを注入し、既設橋梁と新設桁とを一体化させることを特徴とする。
【００１１】
また、第５発明では、第４発明の橋梁の拡幅接続方法において、中空ＰＣ鋼棒端部のねじ部を利用してシングルストランド鋼材を接続することを特徴とする。
【発明の効果】
【００１２】
第１発明によると、既設橋梁に横孔が設けられ、前記横孔に中空ＰＣ鋼棒を備えたプレストレス力導入装置が配置されると共にグラウトが注入・硬化され、前記中空ＰＣ鋼棒が既設橋梁側に埋め込まれた状態で緊張定着され、既設橋梁の拡幅側に新設桁が配置され、その新設桁の横孔にＰＣ鋼材が配置され、前記中空ＰＣ鋼棒における拡幅側端部に前記ＰＣ鋼材が接続され、かつ前記シングルストランド鋼材が緊張定着され、さらに新設桁の横孔にグラウトが注入・硬化されて、既設橋梁と新設桁とが一体化されているので、既設橋梁に横孔を設けて、プレストレス力導入装置における中空ＰＣ鋼棒を緊張状態で固定し、新設桁の横孔に挿通配置した新設側のＰＣ鋼材からなる緊張定着装置を、既設側の中空ＰＣ鋼棒に連結して緊張定着することにより、既設橋梁と新設桁とを容易に一体化することができる。
また、既設橋梁および新設桁の上面側において縦孔等を設ける必要がないので、既設橋梁または新設桁における上面側の施工がないので、交通障害を極力少なくして、拡幅施工することができる。
【００１３】
また、第２発明によると、新設桁の緊張一体化にシングルストランド鋼材を使用し、そのシングルストランド鋼材に接続金物が接続されているので、シングルストランド鋼材の屈曲する可撓性を利用して、容易に新設桁の貫通した横孔に挿通配置することができる。
【００１４】
第３発明によると、拡幅目地部を含め既設橋梁から拡幅するために配置した新設桁までプレストレスが導入されて、一体化されているので、既設橋梁の桁と新設桁の橋軸直角方向のほぼ全長幅に渡って、ＰＣ鋼材を配置して強固に一体化することができる。
【００１５】
第４発明によると、既設橋梁に横孔を削孔し、その横孔に中空ＰＣ鋼棒を備えたプレストレス力導入装置を配置してグラウトを注入・硬化し、既設橋梁にプレストレスを導入した状態で固定し、かつ既設橋梁に固定された中空ＰＣ鋼棒の拡幅側端部にＰＣ鋼材を接続し、そのＰＣ鋼材を緊張した後グラウトを注入し、既設橋梁と新設桁とを一体化させるので、既設橋梁に容易に中空ＰＣ鋼棒を固定できると共に、前記中空ＰＣ鋼棒に容易にＰＣ鋼材を接続して、既設橋梁と新設桁との一体化を図ることができる。
また、既設橋梁および新設桁の上面側において縦孔等を設ける必要がないので、既設橋梁または新設桁における上面側の施工がなく、交通障害を極力少なくして、拡幅施工することができる。
【００１６】
第５発明によると、中空ＰＣ鋼棒端部のねじ部を利用してシングルストランド鋼材を接続するので、単に、既設側に固定する中空ＰＣ鋼棒にねじ部を設けるだけで、シングルストランド鋼材側のねじ部を連結することができ、接合構造を単純にして部品数を少なくすることができ、より安価な接続方法とすることができる。
【発明を実施するための最良の形態】
【００１７】
次に本発明を図示の実施形態に基づいて詳細に説明する。
【００１８】
先ず、本発明において使用する反力ＰＣ鋼材によるプレストレス力導入装置８の一形態の構造について、図３を参照して説明する。
【００１９】
図３（ａ）は、本発明において使用する一実施形態の中空ＰＣ鋼棒を使用したコンクリート用プレストレス力導入装置８の１ユニットの一部切欠側面図を示し、（ｂ）はその縦断側面図を示すものであって、鋼製中空ＰＣ鋼棒本体６ａの長手方向の一端部（前端部）外側に雄ねじ部２０を有すると共に、他端部（後端部）外側に雄ねじ部２１を有する中空ＰＣ鋼棒６における前記雄ねじ部２１に、前後両端部に雌ねじ孔２２、２３を有すると共に多角形の回動工具係合用外面２４を有する支承筒２５における前端部の雌ねじ孔２２が螺合連結されている。
【００２０】
前記支承筒２５の後端部の雌ねじ孔２３に、鋼製筒状の環状係止片からなるストッパ２６の前部雄ねじ部２７が螺合され、前記ストッパ２６の後端部外側には、回動工具係合用外面２８が形成されている。
【００２１】
前記ストッパ２６の前端部は、前記支承筒２５の内部に配置され、前端部に凹部２９を有する押圧係止片３０の後端面が係合され、前記押圧係止片３０の前端部の凹部２９には、中空ＰＣ鋼棒６内に他端側を除くほぼ全体が挿入され、かつ他端側が前記中空ＰＣ鋼棒６の他端部から突出するように配置された押込み用反力ＰＣ鋼棒７の後端部が嵌合されている。
【００２２】
なお、前記の押込み用反力ＰＣ鋼棒７は、ノンプル方式（引き抜かない方式）とする据え置き方式とすることも可能である。
【００２３】
この実施形態においては、１本ものの押込み用反力ＰＣ鋼棒７により押込み鋼棒を構成しているが、他端側に短尺の撤去用反力ＰＣ鋼棒と前記押込み用反力ＰＣ鋼棒７よりも若干短尺な押込み用反力ＰＣ鋼棒との２本により押し込み用反力ＰＣ鋼棒７を構成することも可能である。
【００２４】
前記中空ＰＣ鋼棒６の前端部外側の雄ねじ２０に、雌ねじ部３１を有するナットからなるアンカー材３２が着脱自在に螺合固定され、前記押込み用反力ＰＣ鋼棒７の先端部は前記雌ねじ部３１に雄ねじ部材４１を介して間接的に係合されている。前記アンカー材３２には雄ねじ部材４１が螺合固定され、前記雄ねじ部材４１により反力ＰＣ鋼棒７の先端部が支承されている。前記雄ねじ部２１には、ナットからなるアンカー材１９が装着されている。
【００２５】
図３に示す状態は、内側の反力ＰＣ鋼棒７が外側の中空ＰＣ鋼棒６に対して押込まれて、反力ＰＣ鋼棒７の圧縮力と、中空ＰＣ鋼棒６とが吊り合った状態で係合している状態である。このようなプレストレス力導入装置８は、特開２００１−２０７５９０号公報等により公知であり、押込み用反力ＰＣ鋼棒および中空ＰＣ鋼棒を備えた各種の形態の装置を使用することもできる。
【００２６】
次に、前記プレストレス力導入装置８における支承筒２５が取り外された後に、中空ＰＣ鋼棒６に連結され、かつ新設桁１側に緊張定着されるシングルストランド鋼材２等のＰＣ鋼材を備えた新設側緊張定着装置３の構造形態の一例について、図９および図８を参照しながら説明する。
【００２７】
図９（ａ）は、第１形態の新設側緊張定着装置３の一部を示すものであって、新設桁側のＰＣ鋼材としてのシングルストランド鋼材２における既設側の一端部に、鋼製スリーブ４が圧着されて固定され、前記鋼製スリーブ４には、既設側に雌ねじ孔９を有すると共に新設側に挿通孔１０を有し、かつその挿通孔１０の周囲に鋼製スリーブ４の支承部を有する有底筒状の接続金物１１の一端側が係合され、前記接続金物１１の挿通孔１０にはシングルストランド鋼材２が挿通されると共に、前記鋼製スリーブ４を接続金物１１の内部に配置し、接続金物１１の雌ねじ孔９を、既設側の中空ＰＣ鋼棒６との接合部として、既設側の中空ＰＣ鋼棒６の雄ねじ部２１に接続する構成としている。このような接続金物１１であると、接続金物１１を回動した場合、鋼製スリーブ１１およびシングルストランド鋼材２が回動されて、シングルストランド鋼材２が捻じれる恐れが少ないので好ましい。なお、前記接続金物１１の外面は、適宜六角形断面等にされて、外面に回動工具係合部が設けられる。
【００２８】
前記のような新設側緊張定着装置３以外にも、図９（ｂ）に一端側を示すように、有底筒状の接続金物１１の内面に傾斜面１３を設けて、シングルストランド鋼材２を楔１２により係止するようにしてもよい（詳細は後記する）。また、図８（ｂ）に示すように、中空ＰＣ鋼棒６の端部内側に、雌ねじ孔１４を設け、かつ図９（ｃ）に示すように、シングルストランド鋼材２に固定される鋼製スリーブ４の外面に、雄ねじ部５を設けて、雄ねじ付きスリーブ１５とし、前記雄ねじ付きスリーブ１５を中空ＰＣ鋼棒６の雌ねじ孔１４にねじ込み固定するようにしてもよい（詳細は後記する）。
【００２９】
また、前記のシングルストランド鋼材２の他端部の定着構造としては、適宜公知の定着構造を採用することができ、例えば、図６に示すように、シングルストランド鋼材２の端部を、支圧プレート１８ａおよび雌コーン（筒状の楔受け金具）を備えた定着金具１８における挿通孔に挿通すると共に、シングルストランド鋼材２を緊張した状態で前記雌コーンに圧入される楔により定着する楔方式による定着にするようにしてもよく、又、図示を省略するが、適宜シングルストランド鋼材２の端部に雄ねじ部を有する雄ねじ付きスリーブを設けて、雌ねじ金具により支圧プレート１８ａに緊張状態で定着すると共にグラウト１７を充填硬化して一体化するようにしてもよい。
【００３０】
次に、前記のプレストレス力導入装置８を使用すると共に、新設側緊張定着装置３を使用して、既設橋梁３３における既設桁３４と、新設側の新設桁１とを接合する場合の構造および方法について説明する。
【００３１】
まず、図１（ａ）に示す既設橋梁３３の状態から図１（ｂ）に示すように、既設橋梁３における断面T字状の既設桁３４の新設側の側面３５から横孔３６を削孔する。図示の形態では、既設桁３４における上フランジ３８の側面から削孔して、既設桁３４の幅方向ほぼ全幅の奥部にいたる横孔３６が既設橋梁に軸方向に間隔をおいて多数穿設される。なお、図示を省略するが、前記の横孔３６の奥部または中間部に、無収縮モルタル等のグラウトとの付着を確実にするために、環状の大径係止溝を有する係止溝付き横孔とし、中空ＰＣ鋼棒６先端部の定着を確実にすることができる。
【００３２】
次いで、図２に示すように、プレストレス力導入装置８における支承筒２５を横孔３６の外側に突出させた状態で、前記各横孔３６内にプレストレス力導入装置８を配置し、前記横孔３６とプレストレス力導入装置８との間に、グラウト１７を充填して、グラウト１７を硬化させる。次いで、図４に示すように、前記支承筒２５（またはストッパ２６）を新設側（図の右側）に後退させるようにして中空ＰＣ鋼棒６から取り外すことにより、反力ＰＣ鋼棒７を開放して、既設桁３４に圧縮プレストレスを導入して中空ＰＣ鋼棒６を緊張定着させ、中空ＰＣ鋼棒６を既設橋梁３３（既設桁３４）に固定する。このように中空ＰＣ鋼棒６を緊張状態で固定することにより、前記中空ＰＣ鋼棒６に連結される新設側のＰＣ鋼材としてのシングルストランド鋼材２を緊張定着する場合に、前記中空ＰＣ鋼棒６の緊張力と等しくなるまでは、前記中空ＰＣ鋼棒６の伸びを抑え、既設桁３４側の変位をゼロに抑えることができる。
【００３３】
なお、図５に示すように、新設桁１を支承すべく、橋軸方向の隣り合う既設下部構造物３９に必要に応じ、橋軸直角方向に延長する新設の拡幅部用の下部構造物を築造して一体化しておく。次いで、前記既設下部構造物３９の拡幅部側上面に、ゴム支承等の支承装置４３を設置すると共に、その支承装置４３に、断面T字状桁等プレキャスト製の新設桁１を架設する。前記の新設桁１には、橋軸直角方向（拡幅方向）に貫通した横孔３７が橋軸方向に間隔をおいて並行して設けられている。
【００３４】
前記新設桁１は、既設橋梁３３に対して縦目地間隔Gをおいて並列配置する。次いで、新設桁１の上フランジ３８全幅にわたる貫通した横孔３７に、前記新設側緊張定着装置３におけるシングルストランド鋼材２を既設側（または新設桁側）から挿通し、図９（ａ）に示す新設側緊張定着装置３における接続金物１１を、図７に示すように支承筒２５を取り外された中空ＰＣ鋼棒６の端部にねじ込み連結する。
【００３５】
また、図５に示すように、前記シングルストランド鋼材２の新設側端部を、新設桁１端部に配置の定着金具１８の挿通孔に挿通する。なお、前記縦目地間隔Gには、適宜シース（図示を省略した）を配置して、シース内に接続金物１１を配置する。
【００３６】
次いで、図６に示すように、既設橋梁３３の既設桁３４と、新設桁１との間の縦目地１６の間隙にコンクリート（または無収縮モルタル）４４を打設すべく型枠（図示を省略）を配置して、コンクリート４４を打設する。
【００３７】
前記縦目地部１６のコンクリート４４が硬化した後、前記シングルストランド鋼材２の端部を、把持装置付き油圧ジャッキ（図示を省略した）等により緊張して、前記定着金具１８に定着させ、新設桁１を既設桁３４に接近させるようにプレストレスを導入すると共に、新設桁１の横孔３７内および縦目地部内のシース内に無収縮モルタル等のグラウト１７を充填・硬化させて、既設橋梁３３と新設桁１とを強固に一体化する。
【００３８】
シングルストランド鋼材２の新設桁１端部の緊張定着手段としては、定着金具１８とシングルストランド鋼材２との間に楔１２を打ち込んで緊張定着するようにしてもよく、シングルストランド鋼材２の端部に雄ねじ部を有する鋼製スリ−ブを固定して、定着金具１８の外側において、ナット等の固定金具により緊張状態でシングルストランド鋼材２を緊張定着するようにしてもよい。なお、新設桁１端部の定着金具１８は、適宜防錆処理が施される。
【００３９】
本発明を実施する場合に、新設側緊張定着装置３における接続金物１１としては、前記実施形態以外の他の形態も使用可能であるので、次に他の形態の新設側緊張定着装置３について、図８および図９を参照して説明する。
【００４０】
図９（ｂ）は他の形態の新設側緊張定着装置３におけるシングルストランド鋼材２および接続金物１１の一部を示し、図８（ａ）はその形態の新設側緊張定着装置３を使用して、既設側の中空ＰＣ鋼棒６との接続構造を示したものである。
【００４１】
図９（ｂ）の形態では、シングルストランド鋼材２の既設側端部に、接続金物１１を楔１２により固定した形態であり、さらに具体的に説明すると、接続金物１１は、既設側の内面に雌ねじ孔９を有すると共に、その雌ねじ孔９よりも小径で、新設側に向って漸次径が小さくなるように截頭円錐状傾斜面１３を有する筒状の金物とされている。
【００４２】
また、截頭円錐状傾斜面１３の内側にシングルストランド鋼材２の既設側端部が、前記雌ねじ孔９に深く位置しないように配置されて、截頭円錐状傾斜面１３とシングルストランド鋼材２との間に複数の楔１２が圧入されて、シングルストランド鋼材２に接続金物１１は固定されている。
【００４３】
前記のような接続金物１１を固定したシングルストランド鋼材２を備えた新設側緊張定着装置３における前記接続金物１１の雌ねじ孔９が、図８（ａ）に示すように、既設側の中空ＰＣ鋼棒６の雄ねじ部２１にねじ込まれて、既設側の中空ＰＣ鋼棒６に連結されている。
【００４４】
また、図９（ｃ）に示すように、シングルストランド鋼材２の端部に、雄ねじ付きスリーブ１５を固定し、その鋼製スリーブ４に雄ねじ部５を設けた新設側緊張定着装置３とし、また、他方の既設側の中空ＰＣ鋼棒６の端部内側に、所定の長さに渡って雌ねじ孔１４を設け、シングルストランド鋼材２に固定の雄ねじ付きスリーブ１５を中空ＰＣ鋼棒６の雌ねじ孔１４にねじ込んで連結するようにしてもよい。このように、シングルストランド鋼材２側の接続金物としては、前記した雌ねじ型の接続金物１１以外に雄ねじ型の接続金物（雄ねじ部５付き鋼製スリーブ４）としてもよい。
【００４５】
前記実施形態では、既設橋梁３３の横孔３６が、既設橋梁３３の上面に開口していないので、既設橋梁３３の上面からの施工がなく、既設橋梁上面側の交通の障害が少ない施工方法である。
【００４６】
また、前記の既設橋梁３３と新設桁１の一体化には、既設橋梁３３における新設側端部に位置する既設桁３４の橋軸直角方向のほぼ横幅全幅と、新設桁１のほぼ横幅全幅に渡って、ＰＣ鋼材による中空ＰＣ鋼棒またはシングルストランド鋼材が配置されて一体化されているので、既設橋梁３３における既設桁３４と新設桁１を強固に一体化することができる。
【００４７】
本発明を実施する場合において、反力ＰＣ鋼棒７を残置させる場合、支承筒２５を中空ＰＣ鋼棒６から取り外し、グラウト１７の硬化した後に硬化し、中空ＰＣ鋼棒６とノンプル用反力ＰＣ鋼棒７の一体性を高め、既設桁３４の終局耐力を向上させるため、適宜遅延剤を硬化型接着剤に混合させてなる経時硬化型の合成樹脂製接着剤からなる接着兼用防錆材を中空ＰＣ鋼棒６の端部開口部から予めあるいは適宜の時期に注入充填してもよい。
【００４８】
このようにすると、前記支承筒２５を取り外した後、ノンプル用反力ＰＣ鋼棒７を回収することなく、前記中空ＰＣ鋼棒６内に据え置き、防錆を兼ねる経時硬化製樹脂等の接着兼用防錆材の硬化により、中空ＰＣ鋼棒６とノンプル用ＰＣ鋼棒７の一体化を図ることができる。
【００４９】
前記実施形態では、新設側のＰＣ鋼材として、シングルストランド鋼材２の場合を示したが、本発明を実施する場合、シングルストランド鋼材２以外のＰＣ鋼材を使用してもよく、例えば、ＰＣ鋼棒等のＰＣ鋼材を使用してもよく、前記ＰＣ鋼材の既設側の接続端部に、図７〜図９に示すような接続金物１１を設けるようにすればよく、また、新設側の定着側は、スリーブを固定すると共に雄ねじ部を設けて、支圧プレートおよびナット等により定着してもよく、あるいはＰＣ鋼棒端部を定着用楔受け金具および楔による楔式定着構造としてもよい。
【図面の簡単な説明】
【００５０】
【図１】本発明の一実施形態を説明するための説明図を示すものであって、（ａ）は既設橋梁の状態を示す縦断正面図、（ｂ）は既設桁の側面から上フランジ幅全体に渡って横孔を削孔した状態を示す縦断正面図である。
【図２】図１（ａ）の状態の横孔にプレストレス力導入装置を挿入配置すると共に、プレキャスト導入装置と横孔との間に無収縮モルタルを充填・硬化して、プレストレス力導入装置における中空ＰＣ鋼棒により緊張力を導入した状態を示す縦断正面図である。
【図３】本発明において使用するプレストレス力導入装置の一形態を示すものであって、（ａ）は一部切欠側面図、（ｂ）は一部切欠縦断側面図である。
【図４】図２の状態からプレストレス力導入装置における支承筒を取り外して、既設橋梁にプレストレスを導入すると共に中空ＰＣ鋼棒を既設橋梁に緊張定着した状態を示す縦断正面図である。
【図５】既設橋梁に固定された中空ＰＣ鋼棒の端部に新設側緊張定着装置における接続金物を連結すると共に、新設桁を並列して設置し、新設桁の横孔にシングルストランド鋼材を挿通した状態を示す縦断正面図である。
【図６】既設橋梁と新設桁の目地部にコンクリートを打設すると共に、シングルストランド鋼材を緊張定着した後、新設桁の横孔内に無収縮モルタルを充填・硬化させ、既設橋梁と新設桁を一体化させた状態を示す縦断正面図である。
【図７】既設側の中空ＰＣ鋼棒と新設側緊張定着装置における接続金物との接続部を拡大して示す縦断正面図である。
【図８】（ａ）および（ｂ）は、それぞれ既設側の中空ＰＣ鋼棒と、新設側緊張定着装置における他の形態の接続金物との接続部を拡大して示す縦断正面図である。
【図９】（ａ）は、新設側緊張定着装置における接続金物とシングルストランド鋼材の一端側接続部を拡大して示す縦断側面図、（ｂ）および（ｃ）は、新設側緊張定着装置における他の形態の接続金物とシングルストランド鋼材の一端側接続部を拡大して示す縦断側面図である。
【符号の説明】
【００５１】
１  新設桁
２  シングルストランド鋼材（ＰＣ鋼材）
３  新設側緊張定着装置
４  鋼製スリーブ
５  雄ねじ部
６  中空ＰＣ鋼棒
６ａ  中空ＰＣ鋼棒本体
７  押込み用反力ＰＣ鋼棒
８  プレストレス力導入装置
９  雌ねじ孔
１０  挿通孔
１１  接続金物
１２  楔
１３  傾斜面
１４  雌ねじ孔
１５  雄ねじ付スリーブ
１６  縦目地
１７  グラウト
１８  定着金具
１９  アンカー材
２０  雄ねじ部
２１  雄ねじ部
２２  雌ねじ孔
２３  雌ねじ孔
２４  回動工具係合用外面
２５  支承筒
２６  ストッパ
２７  前部雄ねじ部
２８  回動工具係合用外面
２９  凹部
３０  押圧係止片
３１  雌ねじ部
３２  アンカー材
３３  既設橋梁
３４  既設桁
３５  側面
３６  横孔
３７  横孔
３８  上フランジ
３９  既設下部構造物
４１  雄ねじ部材
４３  支承装置
４４  コンクリート（または無収縮モルタル）
【図１】
2007063796.tif 000003
【図２】
2007063796.tif 000004
【図３】
2007063796.tif 000005
【図４】
2007063796.tif 000006
【図５】
2007063796.tif 000007
【図６】
2007063796.tif 000008
【図７】
2007063796.tif 000009
【図８】
2007063796.tif 000010
【図９】
2007063796.tif 000011